(57)【要約】      （修正有）【課題】生体信号測定をより便利に正確に行うことができる電極装置を提供する。【解決手段】体成分の分析のための電極装置であって、被測定者の身体の一部に着脱が容易に柔軟性を有する本体部と、本体部の内側に形成され、被測定者の身体の一部に密着されて被測定者の生体信号を測定する電極と、を含む。電極は、被測定者の身体屈曲に合わせて密着されるように、本体部に対して自由度を有する。【選択図】図１
0003163162.tif 000002
【実用新案登録請求の範囲】
【請求項１】
被測定者の身体の一部に着脱が容易に柔軟性を有する本体部と、
前記本体部の内側に形成され、被測定者の身体の一部に密着されて被測定者の生体信号を測定する電極と、を含む電極装置において、
前記電極は、被測定者の身体屈曲に合わせて密着されるように、前記本体部に対して自由度を有することを特徴とする電極装置。
【請求項２】
前記電極は、
前記本体部にヒンジ連結構造で連結されて自由度を有することを特徴とする請求項１に記載の電極装置。
【請求項３】
前記電極は、
前記本体部に柔軟性を有する弾性体連結構造で連結されて自由度を有することを特徴とする請求項１に記載の電極装置。
【請求項４】
前記本体部は、一端に一つの電極が連結される第１本体、一端に他の一つの電極が連結される第２本体、及び前記第１本体の他端と前記第２本体の他端とが連結されるように締結する締結手段を含むことを特徴とする請求項１に記載の電極装置。
【請求項５】
前記電極は、
前記本体部に対してピボット運動をするように連結されることを特徴とする請求項１に記載の電極装置。
【考案の詳細な説明】
【技術分野】
【０００１】
本考案は、電極装置に係り、特に、体成分の分析のための電極装置に関する。
【背景技術】
【０００２】
体成分の分析は、人体に含まれる水分、タンパク質、骨及び脂肪などの個別成分を定量的に測定することである。
【０００３】
体内脂肪量は、肥満を判断する主要指標として活用されるだけではなく、成人病の発病原因になることもある。また、水分の量は、筋肉量と密接な関係があり、筋肉量は、身体の重要な構成要素でエネルギーを出す主要成分である。体内の筋肉量は、個人の栄養状態を表わす指標として医学的応用範囲が広い。
【０００４】
したがって、ダイエットや人体の均衡を取るための日常生活で病院など専門的診断を受ける前に、体成分の変化状況をモニタリングすることは必須事項である。
【０００５】
このように、体成分を分析する方法としては、安価で人体にも無害な生体電気インピーダンス（Ｂｉｏｅｌｅｃｔｒｉｃａｌ  Ｉｍｐｅｄａｎｃｅ  Ａｎａｌｙｓｉｓ）を利用した方法が広く使われている。生体電気インピーダンス法は、人体内に弱い電流を送って人体の電気抵抗または電気インピーダンスを測定した値とユーザの身長、体重、年齢、性別などの情報とを用いて体液の量、筋肉量、体脂肪量などを算出する方法である。
【考案の概要】
【考案が解決しようとする課題】
【０００６】
本考案は、このような背景から導出されたものであって、体成分の分析のために生体信号測定の便利さを向上させることができる電極装置を提供することを目的とする。
【０００７】
それだけではなく、生体信号測定の正確度を高めることができる電極装置を提供することを目的とする。
【課題を解決するための手段】
【０００８】
前記技術的課題は、被測定者の身体の一部に着脱が容易に柔軟性を有する本体部と、本体部の内側に形成され、被測定者の身体の一部に密着されて被測定者の身体インピーダンスを測定する電極と、を含む電極装置において、電極は、被測定者の身体屈曲に合わせて密着されるように、前記本体部に対して自由度を有することを特徴とする電極装置によって達成される。
【０００９】
そして、電極は、本体部に対してヒンジ連結構造あるいは弾性体連結構造によってピボット運動をするように連結される。
【図面の簡単な説明】
【００１０】
【図１】本考案の一実施形態による電極装置の例示図である。
【図２】本考案の一実施形態による締結手段を示す例示図である。
【図３】一実施形態による測定部と本体部との連結構造を示す例示図である。
【図４】一実施形態による測定部と本体部との連結構造を示す例示図である。
【図５】一実施形態による電極装置の着用例を示す例示図である。
【考案を実施するための形態】
【００１１】
前述した、そして、追加的な本考案の態様は、後述する実施形態を通じてさらに明確になる。以下、本考案の添付した図面を参照して記述される望ましい実施形態を通じて当業者が容易に理解して再現できるように詳しく説明する。
【００１２】
図１は、本考案の一実施形態による電極装置の例示図である。
【００１３】
一実施形態による電極装置は、本体部１０、１５と測定部３０、３５とを含む。
【００１４】
本体部１０、１５は、被測定者の足首あるいは手首に着脱が容易に柔軟性を有する曲線形態で具現される。一実施形態において、本体部は、弾力を有する部材で具現されて、被測定者の身体の一部に着脱が容易である。
【００１５】
一実施形態において、本体部は、第１本体１０、第２本体１５及び第１本体１０と第２本体１５とを締結する締結手段２０を含む。締結手段２０は、バネを含んで第１本体１０と第２本体１５のそれぞれの電極一対が足首、手首のような被測定者の身体の一部に付着されやすく開けながら、再び初期形態に縮めるように具現されて、身体の着脱がさらに容易に具現可能である。しかし、締結手段２０は、バネに限定されるものではなく、クリップのような、弾性力を有する他の物質によって具現することが可能である。締結手段２０は、多様な変形例を包括するように解析される。
【００１６】
測定部３０、３５は、本体部１０、１５の両端に備えられ、本体部１０、１５の内部方向に互いに対向する方向を向けるように、それぞれ電極４０、４５が含まれる。電極装置を足首あるいは手首に付着させれば、電極４０、４５は、被測定者の身体に密着されながら、心電図、体インピーダンスのような生体信号を測定し、該測定結果を出力する。
【００１７】
測定部３０、３５の電極４０、４５は、電線５０を通じて電極装置と連結されるデータ処理装置から交流電流を供給されて、被測定者の身体に印加する。そして、一対の電極４０、４５にかかる電圧を測定して、測定値を同様に電線５０を通じて出力する。データ処理装置は、測定部４０、４５から出力される電圧値を増幅し、デジタル値に変換する処理を行う。そして、データ処理装置は、処理された結果値に基づいて体脂肪を分析し、これを外部に出力することができる。この際、一対の電極４０、４５にかかる電圧の測定値に基づいて、心電図、筋電図、体インピーダンスのような生体信号を測定することができる。
【００１８】
一実施形態において、測定部４０、４５は、本体部１０、１５にヒンジ構造で連結される。他の実施形態において、測定部４０、４５は、本体部１０、１５に弾性体による連結構造で連結される。弾性体は、ゴムのように柔軟な物質で、弾性力を有する物質をいずれも包括するように解析される。このように、測定部４０、４５は、本体部１０、１５にヒンジ構造あるいは弾性体連結構造で連結されることによって、本体部１０、１５に対して多様な角度で動きが可能に自由度を有するように具現されることによって、電極が身体形態に合わせて密着されうる。
【００１９】
図２は、本考案の一実施形態による締結手段を示す例示図である。
【００２０】
示されたように、第１本体１０と第２本体１５との間に第１本体１０と第２本体１５の相対的動きが容易にクリップ部材２２あるいはバネ部材と、それを取り囲むように形成されて、第１本体１０及び第２本体１５と結合を容易にする部材２４とを含む締結手段が含まれる。しかし、これに限定されるものではない。これにより、第１本体１０と第２本体１５が、身体の一部に脱着が容易である。
【００２１】
図３及び図４は、一実施形態による測定部と本体部との連結構造を示す例示図である。一実施形態において、測定部３０は、第１本体１０にボールジョイント３０ａで連結され、第１本体１０に結合された状態でピボット（ｐｉｖｏｔ）運動をするように具現される。また、本体部１０は、ボールジョイント３０ａの結合のためにボールジョイント３０ａの挿入孔を有する底部１０ａと、その底部１０ａ上に締結可能なカバー部１０ｂとの結合で構成することができる。測定部３０が、第１本体１０に対してピボット運動をすることによって、屈曲がある被測定者の身体の一部に沿って測定部３０の角度が調節されることが可能で、電極４０の多くの部分が身体の一部に付着されうる。
【００２２】
図３と図４とに、それぞれ示されたように、第１本体部１０と第２本体部１５は、締結手段と合う部分が相異なる形態で具現可能である。その形態は、締結手段の構成によって多様な変形された形態で可能である。
【００２３】
図５は、一実施形態による電極装置の着用例を示す例示図である。
【００２４】
示されたように、電極が、身体の一部に触れるように足首に挟む形態で着用されうる。しかし、これに限定されず、手首や被測定者の他の身体の一部に着用することも可能である。
【００２５】
以上、本考案についてその望ましい実施形態を中心に説明した。当業者ならば、本考案が、本考案の本質的な特性から外れない範囲で変形された形態として具現可能であることを理解できるであろう。したがって、開示された実施形態は限定的な観点ではなく、説明的な観点で考慮されなければならない。本考案の範囲は、実用新案登録請求の範囲に示されており、それと同等な範囲内にあるあらゆる差異点は、本考案に含まれたものと解析されなければならない。
【産業上の利用可能性】
【００２６】
本考案は、電極装置に関連する技術分野に適用可能である。
【図１】
0003163162.tif 000003
【図２】
0003163162.tif 000004
【図３】
0003163162.tif 000005
【図４】
0003163162.tif 000006
【図５】
0003163162.tif 000007